(57)【特許請求の範囲】
【請求項１】
コア採取装置（１００）の外管（３）に接合する有底筒状のヘッド（１１）と、コア採取装置（１００）の内管（７）に侵入したコア（１０）の先端に押し付けるプッシャ（１２）と、ヘッド（１１）内に収容したプッシャ（１２）を内管（７）の奥側に押し込む往復手段（１３）と、を備え、
往復手段（１３）は、プッシャ（１２）の後方にベアリング（２２）を介して雄ネジ（１８）付きのシャフト（１７）を延長し、ヘッド（１１）の底部としてのヘッド本体（１５）に雌ネジ（１９）を形成してあることを特徴とする押し込み装置。
【発明の詳細な説明】
【０００１】
【発明の属する技術分野】
本発明は、ダム建設やトンネルの掘削等の土木建設予定地の地層を、コア採取装置を使って調査するが、コア採取装置内にコアを採取した後に、コアリフターケースを外す際にコアの先端部が崩れたり分断したりするのを阻止するコア取り出し方法に使用する押し込み装置に関する。
【０００２】
【従来の技術】
コア採取装置としては特開平７−３２４５８３号公報に示すものが知られている。このコア採取装置１００は図６を用いて説明すれば、ボーリングロッド１に外管用ヘッド２を介して外管３、ビット４を順次、回転伝達可能に連結し、外管用ヘッド２から垂下する支軸５にベアリング（図示省略）を介して内管用ヘッド６を回転伝達不能に連結し、内管用ヘッド６から内管７を垂下してある。内管７の先端部にはコアリフターケース８を抜き差し自在に差し込み、コアリフターケース８内に断面Ｃ字状のコアリフター９を昇降可能に収容している。
【０００３】
上述したコア採取装置１００のボーリング作業によってコアを内管に侵入させた後に引き上げを開始すると、内管の先端部に差し込んだコアリフターケース８が重みで僅かに下降してビット４の内側段部で支えられると共に、コアリフターケース８内でコアリフター９が下降して口径が狭まり、コアリフター９でコアの先端部を挟持して、内管に取り込んだコアが落下するのを阻止している。そして、引き上げ完了後に、内管を地上に寝かせてコアリフターケース８を取り外し、コアを内管から押し出したり、或いは内管の中に収容した透明なチューブＴを取り出して、チューブ越しに詰まったコアを見る。ところが、コアリフターケース８を取り外すと、図７に示すように、コア１０が内管に取り込んだ部分と先端部分とで分断されて崩れることがある。これは、コアリフターでコアの先端部を挟持していることに起因するもので、崩れた部分の地質調査が不正確になるという結果を招いている。
【０００４】
【発明が解決しようとする課題】
本発明は上記実情を考慮して開発されたもので、その目的は、コアリフターによるコアの挟持解除し、内管にコアを先端部分まで一体となった状態で完全に取り込むことである。
【０００５】
【課題を解決するための手段】
押し込み装置は、コア採取装置の外管に接合する有底筒状のヘッドと、コア採取装置の内管に侵入したコアの先端に押し付けるプッシャと、ヘッド内に収容したプッシャを内管の奥側に押し込む往復手段と、を備え、往復手段は、プッシャの後方にベアリングを介して雄ネジ付きのシャフトを延長し、ヘッドの底部としてのヘッド本体に雌ネジを形成してあるものが挙げられる。
【０００８】
シャフトを回転させてプッシャの往復動を行うが、前進の際にシャフトの回転がプッシャに伝わらないようにするために、シャフトとプッシャの間にベアリングを介してある。
【０００９】
【発明の実施の形態】
以下本発明を説明するが、従来技術の欄で述べたコア採取装置１００については、同一の符号を付けることで説明を省略する。
【００１０】
本発明の押し込み装置１０１は図１又は図２に示すように、有底筒状のヘッド１１と、ヘッド１１内に収容したプッシャ１２と、ヘッド１１に対してプッシャ１２を前進・後退可能に連結した往復手段１３とで構成してある。
【００１１】
ヘッド１１は、外管３にねじ込んで接合する筒状の延長バレル１４と、延長バレル１４の一端にねじ込んだ円盤状のヘッド本体１５とから構成される。延長バレル１４は切欠窓１６を開けて、プッシャ１２の押し込み具合を目視で確認できるようにしてある。
【００１２】
往復手段１３は、シャフト１７の中間部に雄ネジ１８を形成すると共に、ヘッド本体１５の中央部に雌ネジ１９を形成し、ヘッド１１の外部に突き出したシャフトの一端部を、レンチを掛ける頭部２０としてある。そして、頭部２０に掛けたレンチ２１を回してプッシャ１２を前進・後退させる。また、シャフト１７の他端部には、ヘッド連結用のベアリング２２を取り付けてある。具体的な取付構造は、シャフト１７の他端部を段階的に細くして段部２３を設けると共に、シャフト１７の他端部の最先端部にＣ字状のスナップリング２４を嵌め、シャフト１７の段部２３とスナップリング２４の間に形成した環状の外向溝２５にベアリング２２の内側部分を挟んで保持する構造である。
【００１３】
プッシャ１２は、シャフト１７の他端部を覆う底の浅い有底筒状のプッシャ本体２６に、先端部の内径が段階的に狭くなる筒状のシールケース２７をねじ込んで連結し、その連結によって内側部分に環状の内向溝２８を形成し、内向溝２８にベアリング２２の外側を収容することによって、シャフト１７に連結してある。また、シールケース２７の先端部とシャフト１７の間にシールリング２９を介在して、油漏れを防いである。
【００１４】
プッシャ本体２６は、コア１０に押し当てる面を平面に形成し、その外径をコアリフター９の内径よりも狭く形成して、コアリフター９内に押し込み可能としてある。
【００１５】
上述した押し込み装置１０１を用いたコア取り出し方法を以下に説明する。まず、コア採取装置１００のボーリング作業によって内管７にコア１０を侵入させた後に、ボーリングロッドを上昇させ、外管３・内管７を引き上げて取り外す。次に図３に示すように地上に寝かせた状態の外管３の先端部に付いたビット４を外し、押し込み装置１０１を図４に示すように外管３にねじ込んで連結する。そして、シャフト１７の頭部に掛けたレンチ２１を回して、プッシャ１２を内管７の延長方向からコア１０に向かって前進させ、コア１０を奥に押し込む。プッシャ１２を前進させると、コア１０の先端部を挟持しているコアリフター９もコア１０と共に押し込まれてコアリフターケース８内を移動する。コアリフターケース８を内管７の外側に差し込んであるので、内管７の先端の内径はコアリフターケースの内径よりも狭く、コアリフター９の移動は最終的には図１に示すように、内径の狭い内管７の先端で阻止され、さらにプッシャ１２を前進させることによって、コア１０がコアリフター９よりも奥まで押し込まれて、コア先端部がコアリフター９の挟持から解除される。この後に押し込み装置１０１、コアリフターケース８を順次外せば、コアが崩れることなく、内管７に完全に採取された状態となる。
【００１６】
本発明は上記実施形態に限定されるものではない。例えば、本発明の押し込み装置１０１を固定するコア採取装置１００は、内管７の内部にコア１０を取り込む構造のものであれば特に限定されず、具体的には内管７にコアを直に取り込む構造や、図５に示すように内管７の下部に透明な袋３０を収容し、内管７にコアを袋３０に包んだ状態で取り込む構造等が挙げられる。
【００１７】
【発明の効果】
本発明の押し込み装置は、コア採取装置の外管に接合して、往復手段でプッシャを前進させるだけでコアを押し込めるので、着脱作業及び押し込み作業が容易である。
【００１９】
また、往復手段に雄ネジと雌ネジを用い、シャフトをねじ込む回転をベアリングでプッシャに伝えないようにしてあるので、プッシャで押し込んだコアが乱れることがなく、正確な地質調査ができる。
【図面の簡単な説明】
【図１】  コアの押し込みが完了した状態を示す断面図である。
【図２】  本発明の押し込み装置を示す断面図である。
【図３】  コア採取装置からビットを外した状態を示す断面図である。
【図４】  押し込み装置を外管に取り付けた状態を示す断面図である。
【図５】  コア採取装置に袋を取り付けた状態を示す断面図である。
【図６】  コア採取装置の外管と内管の取付状態を示す断面図である。
【図７】  従来のコア取り出し方法を示す断面図である。
【符号の説明】
３  外管
７  内管
８  コアリフターケース
９  コアリフター
１０  コア
１１  ヘッド
１２  プッシャ
１３  往復手段
１５  ヘッド本体
１７  シャフト
１８  雄ネジ
１９  雌ネジ
２２  ベアリング
１００  コア採取装置
１０１  押し込み装置
【図１】
0003785340.tif 000002
【図２】
0003785340.tif 000003
【図３】
0003785340.tif 000004
【図４】
0003785340.tif 000005
【図５】
0003785340.tif 000006
【図６】
0003785340.tif 000007
【図７】
0003785340.tif 000008